(57)【要約】【課題】従来よりも容易に起立状態のフラップを保持することができるフラップ付包装箱を提供する。【解決手段】筒状胴部２と、筒状胴部２の一方の開口端縁に設けられた開閉自在な複数のフラップ４，５と、筒状胴部２又はフラップ４，５に、破断して取り外し可能に設けられた破断部３３と、を備えるフラップ付包装箱１であって、破断部３３の少なくとも一部には、隣接するフラップ４，５同士を連結可能な保持部材２５が設けられ、保持部材２５とフラップ４，５とは、互いに係合する係合片３９と係合孔３５とで係合されている。【選択図】図１
2019131251.tif 000002
【特許請求の範囲】
【請求項１】
筒状胴部と、
前記筒状胴部の一方の開口端縁に設けられた開閉自在な複数のフラップと、
前記筒状胴部又は前記フラップに、破断して取り外し可能に設けられた破断部と、
を備えるフラップ付包装箱であって、
前記破断部の少なくとも一部には、隣接する前記フラップ同士を連結可能な保持部材が設けられ、
前記保持部材と前記フラップとは、互いに係合する係合片と係合孔とで係合されていることを特徴とするフラップ付包装箱。
【請求項２】
請求項１に記載のフラップ付包装箱であって、
前記保持部材は、前記フラップを挟み込むべく二つ折りにされる二つ折目線を備え、
前記二つ折目線の中央部分には、Ｕ字状切込線が設けられ、
前記Ｕ字状切込線により前記二つ折目線で前記保持部材を折り曲げたときに起立して突出する突片部が形成されるとともに、前記突片部が起立することによって前記係合孔も形成され、
隣接する前記フラップ同士には、前記係合孔に差込可能な係合片が先方へ突出して設けられ、
前記突片部は、前記係合片を前記係合孔に差し込んで前記保持部材によって隣接する前記フラップ同士を連結させたときに前記係合片の外面に接触することを特徴とするフラップ付包装箱。
【請求項３】
請求項２に記載のフラップ付包装箱であって、
前記筒状胴部は前板を備え、複数の前記フラップは、前記前板の上縁に連接する前フラップを備え、
前記破断部は、少なくとも前記前フラップを含むことを特徴とするフラップ付包装箱。
【請求項４】
請求項１に記載のフラップ付包装箱であって、
前記保持部材は、開いて起立した状態で隣接する前記フラップ同士の外面又は内面に沿ってＬ字状に設けられ、
前記保持部材及び隣接する前記フラップ同士の一方には、他方に向かって折曲可能な前記係合片が隣接する前記フラップに対応させて少なくとも１つずつ設けられ、前記他方には前記係合片を受け入れる前記係合孔が前記係合片に対応させて設けられていることを特徴とするフラップ付包装箱。
【発明の詳細な説明】
【技術分野】
【０００１】
本発明は、フラップを備えるフラップ付包装箱に関する。
【背景技術】
【０００２】
従来、４つの側板を備える有底角筒状の包装箱であって、上方開口縁に開閉自在な一対の内フラップと一対の外フラップとが設けられたフラップ付包装箱が知られている（例えば、特許文献１参照）。特許文献１のフラップ付包装箱では、外フラップと内フラップとを連結して起立状態を保つための縦断面Ｕ字状の保持部材が外フラップの先端縁から隣接する内フラップの先端縁に沿ってＬ字状に延びて４箇所に取り付けられている。保持部材は段ボールを折り曲げて形成される。
【先行技術文献】
【特許文献】
【０００３】
【特許文献１】実用新案登録第３１４５６３９号公報
【発明の概要】
【発明が解決しようとする課題】
【０００４】
特許文献１のフラップ付包装箱では、フラップを保持部材で保持するが、フラップ付包装箱とは別に保持部材を用意する必要があるため、面倒である。
【０００５】
本発明は、以上の点に鑑み、従来よりも使い勝手がよく起立状態のフラップを保持することができるフラップ付包装箱を提供することを目的とする。
【課題を解決するための手段】
【０００６】
［１］上記目的を達成するため、本発明は、
筒状胴部と、
前記筒状胴部の一方の開口端縁に設けられた開閉自在な複数のフラップと、
前記筒状胴部又は前記フラップに、破断して取り外し可能に設けられた破断部と、
を備えるフラップ付包装箱であって、
前記破断部の少なくとも一部には、隣接する前記フラップ同士を連結可能な保持部材が設けられ、
前記保持部材と前記フラップとは、互いに係合する係合片と係合孔とで係合されていることを特徴とする。
【０００７】
本発明によれば、展示するときなどに破断される破断部の少なくとも一部が保持部材となるため、包装箱とは別に保持部材を用意する必要がない。従って、破断部の少なくとも一部で構成される保持部材を用いて容易にフラップの起立状態を保つことができ、使い勝手がよい。
【０００８】
［２］また、本発明においては、
前記保持部材は、前記フラップを挟み込むべく二つ折りにされる二つ折目線を備え、
前記二つ折目線の中央部分には、Ｕ字状切込線が設けられ、
前記Ｕ字状切込線により前記二つ折目線で前記保持部材を折り曲げたときに起立して突出する突片部が形成されるとともに、前記突片部が起立することによって前記係合孔も形成され、
隣接する前記フラップ同士には、前記係合孔に差込可能な係合片が先方へ突出して設けられ、
前記突片部は、前記係合片を前記差込孔に差し込んで前記保持部材によって隣接する前記フラップ同士を連結させたときに前記係合片の外面に接触するように構成することが好ましい。
【０００９】
かかる構成によれば、フラップの外面に沿った保持部材の部分がフラップから離れることを、突片部が係合片の外面に接触することにより防ぐことができる。従って、保持部材によって、隣接するフラップ同士をしっかりと連結して起立した状態を保持することができる。
【００１０】
［３］また、本発明において、上述の如く突片部を設ける場合には、前記筒状胴部は前板を備え、複数の前記フラップは、前記前板の上縁に連接する前フラップを備え、前記破断部は、少なくとも前記前フラップを含む構造のフラップ付包装箱に特に適している。
【００１１】
破断部に前フラップが含まれるフラップ付包装箱においては、全てのフラップを起立させた状態で連結して筒状に構成することができない。このため、保持部材の保持力が更に要求されるが、上述の如く突片部を設けることにより、少なくとも前フラップが破断されるフラップ付包装箱であっても、保持部材でしっかりと残りのフラップを起立状態で連結して保持することができる。
【００１２】
［４］また、本発明においては、
前記保持部材は、開いて起立した状態で隣接する前記フラップ同士の外面又は内面に沿ってＬ字状に設けられ、
前記保持部材及び隣接する前記フラップ同士の一方には、他方に向かって折曲可能な前記係合片が隣接する前記フラップに対応させて少なくとも１つずつ設けられ、前記他方には前記係合片を受け入れる前記係合孔が前記係合片に対応させて設けられていることが好ましい。
【００１３】
かかる構成によれば、係合片が係合孔に係合することにより、保持部材でしっかりと隣接するフラップ同士を開いて起立した状態で保持することができる。
【図面の簡単な説明】
【００１４】
【図１】本発明の第１実施形態のフラップ付包装箱を示す斜視図。
【図２】第１実施形態のフラップ付包装箱を展開して示す説明図。
【図３】第１実施形態のフラップ付包装箱の保持部材を分離した状態で示す斜視図。
【図４】本発明の第２実施形態のフラップ付包装箱を示す斜視図。
【図５】第２実施形態のフラップ付包装箱を展開して示す説明図。
【図６】第２実施形態のフラップ付包装箱の保持部材を分離した状態で示す説明図。
【発明を実施するための形態】
【００１５】
［第１実施形態］
図１から図３を参照して、本発明の第１実施形態のフラップ付包装箱１を説明する。図１に示すように、第１実施形態のフラップ付包装箱１は、横断面四角形状の筒状胴部２と、天板３の一部を構成し、筒状胴部２の上方の開口端縁に夫々連設された開閉自在な一対の天板内フラップ４と、天板３の残りの一部を構成し、筒状胴部２の上方の開口端縁に夫々連設された開閉自在な一対の天板外フラップ５と、底板６とを備える。天板３を構成する天板内フラップ４と、天板外フラップ５とは、筒状胴部２に対して内側へ直角に折り曲げられることにより、筒状胴部２の上方の開口を閉塞することができる。
【００１６】
図２は、本実施形態のフラップ付包装箱１の展開図である。図２から明らかなように、本実施形態のフラップ付包装箱１は、段ボール原紙から打ち抜かれた１枚の板紙を折り曲げて組み立てられる。図２に示すように、本実施形態のフラップ付包装箱１は、矩形状の第１側板１１と、第１側板１１の一方の側縁に折目線Ｌ１を介して連設される矩形状の第２側板１２と、第２側板１２の一方の側縁に折目線Ｌ２を介して連設される矩形状の第３側板１３と、第３側板１３の一方の側縁に折目線Ｌ３を介して連設される矩形状の第４側板１４とを備える。
【００１７】
第４側板１４の一方の側縁には折目線Ｌ４を介して第１側板１１の他方の側縁部に接着される接着片１５が連設されている。第１側板１１、第２側板１２、第３側板１３、第４側板１４を、夫々折目線Ｌ１〜Ｌ３で直角に折り曲げ、接着片１５を第１側板１１の他方の側縁部に接着させることで、本実施形態の筒状胴部２が構成される。
【００１８】
第１側板１１及び第３側板１３の上縁には、折目線Ｌ５を介して矩形状の天板内フラップ４が連設されている。第２側板１２及び第４側板１４の上縁には、折目線Ｌ６を介して矩形状の天板外フラップ５が連設されている。第１側板１１及び第３側板１３の下縁には、折目線Ｌ７を介して矩形状の底板内フラップ１６が連設されている。第２側板１２及び第４側板１４の下縁には、折目線Ｌ８を介して矩形状の底板外フラップ１７が連設されている。
【００１９】
本実施形態においては、第２側板１２が前板、第１側板１１が右側板、第３側板が左側板、第４側板１４が後板、第２側板１２に連設する天板外フラップ５が前フラップに該当する。フラップ付包装箱１には、天板内フラップ４、第１側板１１、第２側板１２、第３側板１３、天板内フラップ４に渡ってＵ字状に延びる破断可能線２１が設けられている。この破断可能線２１を破断することにより、図１に示すように、前フラップとしての天板外フラップ５を含めた天板内フラップ４の前側部分、第１側板１１の前方上端部分、第２側板１２の上方部分、第３側板１３の前方上端部分、が破断されて、フラップ付包装箱１の本体から分離され、展示などに用いられる。破断可能線２１で破断されてフラップ付包装箱１の本体から分離される部分が本実施形態における破断部２３となる。
【００２０】
破断部２３の一部である前板としての天板外フラップ５には、一対の保持部材２５がＨ字状の切込線２７を介して切り取り可能に設けられている。
【００２１】
保持部材２５は、天板内フラップ４及び天板外フラップ５を挟み込むべく、二つ折りにされる二つ折目線２９と、二つ折目線２９の中央部分に設けられたＵ字状切込線３１と、を備える。なお、明細書中、「Ｕ字状」とは、厳密な意味でのＵ字のみならず、コ字状や、Ｖ字状、Ｃ字状を含む概念として定義する。Ｕ字状切込線３１によって、二つ折目線２９は左右二つに分割されている。保持部材２５は、二つ折目線２９に二つ折りにすることにより、Ｕ字状切込線３１の部分が折り曲げられることなく上方に起立して突出する突片部３３が形成される。また、突片部３３が起立することによって、Ｕ字状切込線３１の内側の部分が開口し、この開口によって本実施形態の係合孔３５が形成される。
【００２２】
後板としての第４側板１４の上端縁に連設する天板外フラップ５の先端には、先端縁から基端に向かって切り欠かれた左右一対の切欠部３７が設けられている。切欠部３７は互いに間隔を存して形成されると共に、天板外フラップ５の左右の側縁から間隔を存して形成されている。この切欠部３７によって、天板外フラップ５の先端の左右両側縁部分には、一対の係合片３９が形成されている。
【００２３】
一対の天板内フラップ４の先端縁の後ろ側には、切欠部４１が形成されている。この切欠部４１によって、天板内フラップ４の先端の後ろ側部分には、係合片４３が夫々形成される。切欠部３７と切欠部４１は、天板内フラップ４と天板外フラップ５とを閉じて天板３を構成したときに互いに重ならないように形成されている。これにより、天板３で筒状胴部２の上端開口をしっかりと閉塞させることができる。
【００２４】
本実施形態の底板６は、筒状胴部２に対して、底板内フラップ１６を内側へ直角に折り曲げた後、底板内フラップ１６の外面に重ねるように、底板外フラップ１７を筒状胴部２に対して内側へ直角に折り曲げることによって構成される。
【００２５】
本実施形態のフラップ付包装箱１は、内容物を収容して運搬するときには、天板内フラップ４及び天板外フラップ５を閉じた状態で運搬される。そして、店頭等で商品を陳列・展示する際には、天板内フラップ４及び天板外フラップ５を開いて、破断可能線２１を破断して、前方の天板外フラップ５を取り外す。破断可能線２１を破断することで前板としての第２側板１２の上方部分も取り外されるため、収容される収容物を大きく露出させることができる。
【００２６】
そして、天板外フラップ５のＨ字状の切込線を破断させて、保持部材２５を取り外す。なお、保持部材は、天板内フラップ４に設けてもよい。取り外された保持部材２５は、二つ折目線２９に沿って二つ折りにして天板内フラップ４及び天板外フラップ５を板厚方向から挟めるようにする。そして、図３に示すように、起立した状態の天板内フラップ４の係合片４３及び天板外フラップ５の係合片３９が係合孔３５に差し込まれるように、天板内フラップ４及び天板外フラップ５に沿って中央でＬ字状となるように折り曲げて保持部材２５を天板内フラップ４及び天板外フラップ５に係合させる。
【００２７】
このとき、突片部３３が係合片３９，４３の外面に位置するように、保持部材２５が天板内フラップ４及び天板外フラップ５に係合されている。このようにして、突片部３３を係合片３９，４３の外面に接触させるようにすることによって、二つ折り状態にされた保持部材２５が再び元の状態に戻るように開くことを防止して、保持部材２５を意図せずに引っ掛けて脱落させることを抑制させることができる。
【００２８】
本実施形態によれば、展示するときなどに破断される破断部３３の少なくとも一部が保持部材２５となるため、従来のように、包装箱とは別に保持部材を用意する必要がない。従って、破断部３３の少なくとも一部で構成される保持部材２５を用いて容易に天板内フラップ４及び天板外フラップ５の起立状態を保つことができる。従って、収容物をフラップ付包装箱１に山積み状態で展示する場合に、天板内フラップ４と天板外フラップ５とを開いて起立させた状態で収容物を山積みとすることができる。また、係合片３９，４３と係合孔３５とで保持部材２５が天板内フラップ４及び天板外フラップ５にしっかりと係合されるため、保持部材２５が意図せずに脱落することを抑制することができる。
【００２９】
また、本実施形態の如く、破断部３３に前方に位置する天板外フラップ５が含まれるフラップ付包装箱１においては、天板外フラップ５が破断可能線２１で破断されて取り外されてしまうため、全てのフラップ４，５を起立させた状態で連結して筒状に構成することができない。このため、本実施形態のようなフラップ付包装箱１においては、保持部材２５の保持力が更に要求される。しかしながら、本実施形態では、突片部３３を設けることにより、保持部材２５でしっかりと残りのフラップ４，５を起立状態で連結して保持することができる。従って、内容物をフラップ付包装箱１に山積み状態で展示する場合に、天板内フラップ４と天板外フラップ５とを開いた状態で内容物を山積みとすることができる。
【００３０】
なお、本実施形態においては、筒状胴部として四角筒状のものを説明した。しかしながら、本発明の筒状胴部はこれに限らず、フラップで少なくとも一方の開口を閉塞する包装箱であればよい。例えば、断面六角形状の筒状胴部であってもよい。
【００３１】
また、本実施形態では、Ａ式段ボール包装箱を説明したが、本発明のフラップ付包装箱は、Ａ式段ボール包装箱に限らず、Ｂ式段ボール包装箱としてもよい。また、係合片、係合孔、突片部は、底板内フラップ又は底板外フラップに設けてもよい。この場合、展示する際には、上下をひっくり返して使用することによって商品を山積みとすることができる。また、本発明のフラップ付包装箱は段ボール製に限らず、他の材質であってもよく、例えば、合成樹脂製であってもよい。
【００３２】
また、本発明の突片部、係合孔、係合片の形状は、実施形態のものに限らず、互いに係合できるものであれば、他の形状であってもよい。
【００３３】
［第２実施形態］
図４から図６を参照して、本発明の第２実施形態のフラップ付包装箱１を説明する。
【００３４】
図４に示すように、第２実施形態のフラップ付包装箱１は、横断面四角形状の筒状胴部２と、天板３の一部を構成し、筒状胴部２の上方の開口端縁に夫々連設された開閉自在な一対の天板内フラップ４と、天板３の残りの一部を構成し、筒状胴部２の上方の開口端縁に夫々連設された開閉自在な一対の天板外フラップ５と、底板６とを備える。天板３を構成する天板内フラップ４と、天板外フラップ５とは、筒状胴部２に対して内側へ直角に折り曲げられることにより、筒状胴部２の上方の開口を閉塞することができる。
【００３５】
図５は、本実施形態のフラップ付包装箱１の展開図である。図５から明らかなように、本実施形態のフラップ付包装箱１は、段ボール原紙から打ち抜かれた１枚の板紙を折り曲げて組み立てられる。図５に示すように、本実施形態のフラップ付包装箱１は、矩形状の第１側板１１と、第１側板１１の一方の側縁に折目線Ｌ１を介して連設される矩形状の第２側板１２と、第２側板１２の一方の側縁に折目線Ｌ２を介して連設される矩形状の第３側板１３と、第３側板１３の一方の側縁に折目線Ｌ３を介して連設される矩形状の第４側板１４とを備える。
【００３６】
第４側板１４の一方の側縁には折目線Ｌ４を介して第１側板１１の他方の側縁部に接着される接着片１５が連設されている。第１側板１１、第２側板１２、第３側板１３、第４側板１４を、夫々折目線Ｌ１〜Ｌ３で直角に折り曲げ、接着片１５を第１側板１１の他方の側縁部に接着させることで、本実施形態の筒状胴部２が構成される。
【００３７】
第１側板１１及び第３側板１３の上縁には、折目線Ｌ５を介して矩形状の天板内フラップ４が連設されている。第２側板１２及び第４側板１４の上縁には、折目線Ｌ６を介して矩形状の天板外フラップ５が連設されている。第１側板１１及び第３側板１３の下縁には、折目線Ｌ７を介して矩形状の底板内フラップ１６が連設されている。第２側板１２及び第４側板１４の下縁には、折目線Ｌ８を介して矩形状の底板外フラップ１７が連設されている。
【００３８】
本実施形態においては、第２側板１２が前板、第１側板１１が右側板、第３側板が左側板、第４側板１４が後板、第２側板１２に連設する天板外フラップ５が前フラップに該当する。フラップ付包装箱１には、第２側板１２と、天板外フラップ５との間の折目線Ｌ６に沿って延びる破断可能線２１が設けられている。この破断可能線２１を破断することにより、図４に示すように、前フラップとしての天板外フラップ５が、第２側板１２の上端縁から破断されて、フラップ付包装箱１の本体から分離され、フラップ付包装箱１が収容物を収容した状態で展示などに用いられる。本実施形態では、破断可能線２１で破断されてフラップ付包装箱１の本体から分離される天板外フラップ５が破断部２３となる。
【００３９】
破断部２３である前板としての天板外フラップ５には、中央に切込線２７が破断可能に設けられ、切込線２７を破断して天板外フラップ５を半分に分割することにより、一対の保持部材２５が形成される。
【００４０】
保持部材２５には、起立状態の天板内フラップ４及び天板外フラップ５の内面（又は外面）に沿って中央部分で折り曲げられてＬ字状となるように折目線２９が設けられている。また、保持部材２５には、天板内フラップ４及び天板外フラップ５の内面（又は外面）に沿うように配置されたときに、天板内フラップ４及び天板外フラップ５に夫々対応する位置にＵ字状切込線３８が設けられている。Ｕ字状切込線３８の内側の部分を天板内フラップ４及び天板外フラップ５に向かって折り曲げることによって、本実施形態の係合片３９が形成される。Ｕ字状切込線３８は、係合片３９の遥動端が上方に位置するように形成されている。これにより、係合片３９が自重によって天板内フラップ４及び天板外フラップ５に押し込まれるようにして折り曲げられた状態が解除されることを抑制することができる。
【００４１】
天板内フラップ４及び天板外フラップ５には、保持部材２５のＵ字状切込線３８に対応する位置に同様の形状のＵ字状切込線３４が設けられている。保持部材２５を天板内フラップ４及び天板外フラップ５の内面（又は外面）に沿うように配置して、係合片３９を天板内フラップ４及び天板外フラップ５に押し込むように折り曲げることによって、天板内フラップ４及び天板外フラップ５のＵ字状切込線３４の内側の部分も折り曲げられてＵ字状切込線３４の内側に係合孔３５が形成される。そして、図４に示すように、この係合孔３５に係合片３９が差し込まれて係合される。図６は、天板内フラップ４及び天板外フラップ５から保持部材２５を分離した状態を示している。
【００４２】
本実施形態の底板６は、筒状胴部２に対して、底板内フラップ１６を内側へ直角に折り曲げた後、底板内フラップ１６の外面に重ねるように、底板外フラップ１７を筒状胴部２に対して内側へ直角に折り曲げることによって構成される。
【００４３】
本実施形態のフラップ付包装箱１は、内容物を収容して運搬するときには、天板内フラップ４及び天板外フラップ５を閉じた状態で運搬される。そして、店頭等で商品を陳列・展示する際には、天板内フラップ４及び天板外フラップ５を開いて、破断可能線２１を破断して、前方の天板外フラップ５を取り外す。破断可能線２１を破断することで前方の天板外フラップ５が取り外されるため、天板内フラップ４及び天板外フラップ５を起立させて収容物を山積みにした状態において、収容物を大きく露出させることができる。
【００４４】
本実施形態によれば、展示するときなどに破断される破断部３３としての天板外フラップ５が保持部材２５となるため、従来のように、包装箱とは別に保持部材を用意する必要がない。従って、破断部３３で構成される保持部材２５を用いて容易に天板内フラップ４及び天板外フラップ５の起立状態を保つことができる。従って、収容物をフラップ付包装箱１に山積み状態で展示する場合に、天板内フラップ４と天板外フラップ５とを開いて起立させた状態で収容物を山積みとすることができる。また、係合片３９と係合孔３５とで保持部材２５が天板内フラップ４及び天板外フラップ５にしっかりと係合されるため、保持部材２５が意図せずに脱落することを抑制することができる。
【００４５】
なお、本実施形態においては、筒状胴部として四角筒状のものを説明した。しかしながら、本発明の筒状胴部はこれに限らず、フラップで少なくとも一方の開口を閉塞する包装箱であればよい。例えば、断面六角形状の筒状胴部であってもよい。
【００４６】
また、本実施形態では、Ａ式段ボール包装箱を説明したが、本発明のフラップ付包装箱は、Ａ式段ボール包装箱に限らず、Ｂ式段ボール包装箱としてもよい。また、係合片、係合孔、突片部は、底板内フラップ又は底板外フラップに設けてもよい。この場合、展示する際には、上下をひっくり返して使用することによって商品を山積みとすることができる。また、本発明のフラップ付包装箱は段ボール製に限らず、他の材質であってもよく、例えば、合成樹脂製であってもよい。
【００４７】
また、本発明の突片部、係合孔、係合片の形状は、実施形態のものに限らず、互いに係合できるものであれば、他の形状であってもよい。また、係合片を天板内フラップ及び天板外フラップに設けて、係合孔を保持部材に設けてもよい。
【符号の説明】
【００４８】
１  フラップ付包装箱
２  筒状胴部
３  天板
４  天板内フラップ
５  天板外フラップ
６  底板
１０  差込孔
１１  第１側板
１２  第２側板
１３  第３側板
１４  第４側板
１５  接着片
１６  底板内フラップ
１７  底板外フラップ
２１  破断可能線
２３  破断部
２５  保持部材
２７  切込線
２９  二つ折目線
３１  Ｕ字状切込線
３３  突片部
３４  Ｕ字状切込線
３５  係合孔
３７  切欠部
３８  Ｕ字状切込線
３９  係合片
４１  切欠部
４３  係合片
Ｌ１〜Ｌ８  折目線
【図１】
2019131251.tif 000003
【図２】
2019131251.tif 000004
【図３】
2019131251.tif 000005
【図４】
2019131251.tif 000006
【図５】
2019131251.tif 000007
【図６】
2019131251.tif 000008